(57)【要約】【課題】昇降動作に伴う作業効率の低下を防ぎ、簡単な構造で作業者の足元スペースを確保して快適な作業環境を実現できる昇降装置内蔵テーブルを提供する。【解決手段】天板１と天板下方の収納位置Ｓ２に収納したＯＡ機器Ｋを天板上方の設置位置Ｓ１まで手動操作で移動させるＯＡ機器用の昇降装置３とを備えた。天板の前後方向中央部には、ＯＡ機器が通過する開口部１１と開閉可能に装着された蓋板１３とを備え、昇降装置には、ＯＡ機器を支持した支持部材と、支持部材を案内する筒状案内部材と、当該筒状案内部材の外壁面に形成されたレール部に案内されて上下動可能に形成されたウェイト部と、筒状案内部材の上端部に装着された滑車部と、支持部材とウェイト部とを滑車部を経由して連結するワイヤ部材とを備え、ＯＡ機器を設置位置まで移動させたときウェイト部が下降端に移動し、ＯＡ機器を収納位置まで移動させたときウェイト部が上昇端に移動する。【選択図】  図３
2020005992.tif 000002
【特許請求の範囲】
【請求項１】
天板と、天板下方に形成した機器収納部の収納位置に収納したＯＡ機器を天板上方の設置位置まで手動操作で移動させるＯＡ機器用の昇降装置とを備えた昇降装置内蔵テーブルであって、
前記天板の後端部又は前後方向中央部には、前記ＯＡ機器が前記昇降装置に支持されて通過する開口部と、当該開口部に対して開閉可能に装着された蓋板とを備え、
前記昇降装置には、前記ＯＡ機器を背面上部で支持し上下方向に延設された支持部材と、前記収納位置に収納した前記ＯＡ機器の背面側でテーブル部材に固定され前記支持部材を上端開口部から挿入して上下方向へ案内する筒状案内部材と、当該筒状案内部材の外壁面に上下方向へ形成されたレール部に案内されて上昇端位置から下降端位置まで上下動可能に形成されたウェイト部と、前記筒状案内部材の上端部に装着された滑車部と、前記支持部材と前記ウェイト部とを前記滑車部を経由して連結するワイヤ部材とを備え、
前記ＯＡ機器を前記設置位置まで移動させたときに、前記ウェイト部が前記レール部に案内されて前記下降端位置に移動して停止し、前記ＯＡ機器を前記収納位置まで移動させたときに、前記ウェイト部が前記上昇端位置に移動して停止することを特徴とする昇降装置内蔵テーブル。
【請求項２】
請求項１に記載された昇降装置内蔵テーブルにおいて、
前記支持部材は、前記ＯＡ機器の左右方向中央部を支持するように形成され、前記ウェイト部は、おもり部材が前記支持部材に対して左右対称な位置に均等な重量で配置されていることを特徴とする昇降装置内蔵テーブル。
【請求項３】
請求項１又は請求項２に記載された昇降装置内蔵テーブルにおいて、
前記ウェイト部は、前記レール部に案内されるおもり受け部材と、当該おもり受け部材に締結され前後方向に積層可能に形成された板状のおもり部材とを備えたことを特徴とする昇降装置内蔵テーブル。
【請求項４】
請求項１乃至請求項３のいずれか１項に記載された昇降装置内蔵テーブルにおいて、
前記支持部材の上端部には、前記ＯＡ機器が取付け可能に形成されたブラケット部を備え、
前記ブラケット部の左右方向外壁面に一端が固定され、他端が天板下方で前記筒状案内部材の上端部に対して左右方向へ離間した位置に固定されて前記筒状案内部材の左右方向外壁面に沿って略Ｕ字状に垂れ下がるケーブル保持具を前記ウェイト部の軌跡と異なる位置に備え、
前記ケーブル保持具を介して前記ＯＡ機器から他の機器に接続するケーブルを配設したことを特徴とする昇降装置内蔵テーブル。
【請求項５】
請求項４に記載された昇降装置内蔵テーブルにおいて、
前記ブラケット部には、前記ＯＡ機器と接続された部品又は小物を収納する収納部が形成されていることを特徴とする昇降装置内蔵テーブル。
【請求項６】
請求項１乃至請求項５のいずれか１項に記載された昇降装置内蔵テーブルにおいて、
前記蓋板は、前記ＯＡ機器の背面側に開き、開いた状態で前記天板上に起立可能に形成されていることを特徴とする昇降装置内蔵テーブル。
【発明の詳細な説明】
【技術分野】
【０００１】
本発明は、昇降装置内蔵テーブルに関し、詳しくは、ディスプレイ等のＯＡ機器を支持して機器不使用時には天板下方に収納でき、機器使用時には天板上方に設置できるＯＡ機器用の昇降装置を内蔵した昇降装置内蔵テーブルに関する。
【背景技術】
【０００２】
近年、ＩＴ企業等を中心に、オフィスにおけるフリーな作業環境を実現するため、作業テーブルに固定席を設けず、仕事の状況に応じて空いている席に座って仕事を行うフレーアドレス制を採用するオフィスが増えている。上記オフィスにおけるフリーアドレス制を実現するために、ディスプレイ等のＯＡ機器を支持して機器不使用時には天板下方に収納でき、機器使用時には天板上方に設置できるＯＡ機器用の昇降装置を内蔵した昇降装置内蔵テーブルが注目されている。上記昇降装置内蔵テーブルに関する発明が、例えば、特許文献１に開示されている。
【０００３】
すなわち、特許文献１に開示された昇降装置内蔵テーブル（ディスプレイ内蔵デスク）１００は、図１０に示すように、天板１０１を前後移動手段１０２によって定位置（後退位置）と前進位置との間で移動可能にし、天板下方に形成したディスプレイ収納部１０３の開口部１０４を天板１０１の後端側で開閉させると共に、支持手段１０５に取り付けたディスプレイ１０６を昇降移動手段１０７によって天板上方の設置位置まで移動可能にし、天板１０１の前進位置で形成する開口部１０４を介して設置位置まで上昇させたディスプレイ１０６を、定位置（後退位置）に後退させた天板１０１の後端部１０１ａで支持する構成とした。
【０００４】
また、前記昇降移動手段１０７は、昇降案内軸１０８に沿って昇降可能な移動筒１０９を設けると共に、昇降案内軸１０８と平行状にラック１１０を設けてピニオン１１１と噛み合わせ、このピニオン１１１を前記移動筒１０９に装着して下降方向に制動作用を与える回転ダンパ１１２の回転軸に取付け、手動操作による前記支持手段１０５の引き上げ及び押し下げで前記移動筒１０９を作動し、前記ディスプレイ１０６を昇降移動するように構成した。
【先行技術文献】
【特許文献】
【０００５】
【特許文献１】特許第３６００７８８号公報
【発明の概要】
【発明が解決しようとする課題】
【０００６】
しかしながら、上記昇降装置内蔵テーブル１００は、天板１０１を前後移動手段１０２によって定位置（後退位置）と前進位置との間で移動可能にし、天板下方に形成したディスプレイ収納部１０３の開口部１０４を天板１０１の後端側で開閉させる構造であるので、ディスプレイ１０６を天板下方の収納位置と天板上方の設置位置との間で移動させる度に、天板１０１を前後移動手段１０２によって定位置（後退位置）と前進位置との間で移動させる必要があり、その際、天板上に載置した書類等を落下させたり、隣接して着座している他の作業者の仕事を中断させて、作業効率を低下せるという問題があった。
【０００７】
また、前記昇降移動手段１０７は、昇降案内軸１０８に沿って昇降可能な移動筒１０９を設けると共に、昇降案内軸１０８と平行状に設けたラック１１０にピニオン１１１を噛み合わせ、このピニオン１１１を前記移動筒１０９に装着して下降方向に制動作用を与える回転ダンパ１１２の回転軸に取付け、手動操作による前記支持手段１０５の引き上げ及び押し下げで前記ディスプレイ１０６を昇降移動させる構造であるので、昇降移動手段１０７が複雑な構造となって天板下方におけるディスプレイ収納部１０３に入り込み、天板下方に占めるディスプレイ収納部１０３のスペースが増大することになる。そのため、作業者の足元スペース１１３が犠牲となって相対的に狭くなり、快適な作業環境を確保しにくいという問題があった。
【０００８】
本発明は、上記問題を解決するためになされたものであり、ＯＡ機器の昇降動作に伴う作業効率の低下を防止できると共に、簡単な構造の昇降装置で作業者の足元スペースを確保して快適な作業環境を実現できる昇降装置内蔵テーブルを提供することを目的とする。
【課題を解決するための手段】
【０００９】
上記目的を達成するために、本発明に係る昇降装置内蔵テーブルは、次のような構成を有している。
（１）天板と、天板下方に形成した機器収納部の収納位置に収納したＯＡ機器を天板上方の設置位置まで手動操作で移動させるＯＡ機器用の昇降装置とを備えた昇降装置内蔵テーブルであって、
前記天板の後端部又は前後方向中央部には、前記ＯＡ機器が前記昇降装置に支持されて通過する開口部と、当該開口部に対して開閉可能に装着された蓋板とを備え、
前記昇降装置には、前記ＯＡ機器を背面上部で支持し上下方向に延設された支持部材と、前記収納位置に収納した前記ＯＡ機器の背面側でテーブル部材に固定され前記支持部材を上端開口部から挿入して上下方向へ案内する筒状案内部材と、当該筒状案内部材の外壁面に上下方向へ形成されたレール部に案内されて上昇端位置から下降端位置まで上下動可能に形成されたウェイト部と、前記筒状案内部材の上端部に装着された滑車部と、前記支持部材と前記ウェイト部とを前記滑車部を経由して連結するワイヤ部材とを備え、
前記ＯＡ機器を前記設置位置まで移動させたときに、前記ウェイト部が前記レール部に案内されて前記下降端位置に移動して停止し、前記ＯＡ機器を前記収納位置まで移動させたときに、前記ウェイト部が前記上昇端位置に移動して停止することを特徴とする。
【００１０】
本発明においては、天板の後端部又は前後方向中央部には、ＯＡ機器が昇降装置に支持されて通過する開口部と、当該開口部に対して開閉可能に装着された蓋板とを備えたので、ＯＡ機器の昇降動作時にＯＡ機器が通過する開口部を覆う蓋板を開閉すればよく、天板全体を一々前後方向へ移動させる必要がない。そのため、ＯＡ機器を昇降動作させる際、天板上に載置した書類等を落下させたり、隣接して着座している他の作業者の仕事を中断させることがなく、作業効率の低下を防止できる。
【００１１】
また、昇降装置には、ＯＡ機器を背面上部で支持し上下方向に延設された支持部材と、収納位置に収納したＯＡ機器の背面側でテーブル部材に固定され支持部材を上端開口部から挿入して上下方向へ案内する筒状案内部材と、当該筒状案内部材の外壁面に上下方向へ形成されたレール部に案内されて上昇端位置から下降端位置まで上下動可能に形成されたウェイト部と、筒状案内部材の上端部に装着された滑車部と、支持部材とウェイト部とを滑車部を経由して連結するワイヤ部材とを備えたので、ＯＡ機器を収納する機器収納部を、天板下方の前後方向中央部寄り上部に上下方向でコンパクト化して配置できる。また、機器収納部の背面側に位置する昇降装置のつるべ機構を格納する昇降装置格納部を、天板下方の前後方向中央部に前後方向でコンパクト化して配置できる。そのため、天板下方の奥行きを拡大して、作業者の足元スペースをできる限り広く確保することができる。
【００１２】
また、ＯＡ機器を設置位置まで移動させたときに、ウェイト部が下降端位置に移動して停止し、ＯＡ機器を収納位置まで移動させたときに、ウェイト部が上昇端位置に移動して停止するので、ＯＡ機器と支持部材の合計重量とウェイト部の重量とのバランスが取れていて、ＯＡ機器を収納位置から設置位置まで軽い力で移動でき、つるべ機構を利用した簡単な構造で作業者の負担を大幅に軽減できる。
【００１３】
よって、本発明によれば、ＯＡ機器の昇降動作に伴う作業効率の低下を防止できると共に、簡単な構造の昇降装置で作業者の足元スペースを確保して快適な作業環境を実現できる昇降装置内蔵テーブルを提供することができる。
【００１４】
（２）（１）に記載された昇降装置内蔵テーブルにおいて、
前記支持部材は、前記ＯＡ機器の左右方向中央部を支持するように形成され、前記ウェイト部は、おもり部材が前記支持部材に対して左右対称な位置に均等な重量で配置されていることを特徴とする。
【００１５】
本発明においては、支持部材は、ＯＡ機器の左右方向中央部を支持するように形成され、ウェイト部は、おもり部材が支持部材に対して左右対称な位置に均等な重量で配置されているので、左右方向に幅広いサイズのＯＡ機器に対しても左右対称な位置に配置されたおもり部材が重量バランスを取って、支持部材に対して偏心荷重を生じさせにくい。そのため、支持部材及び筒状案内部材の構造を簡素化することができ、天板下方で昇降装置を格納する昇降装置格納部を、より一層コンパクト化させることができる。その結果、天板下方における奥行きを更に拡大して、作業者の足元スペースをより一層広く確保することができる。
【００１６】
（３）（１）又は（２）に記載された昇降装置内蔵テーブルにおいて、
前記ウェイト部は、前記レール部に案内されるおもり受け部材と、当該おもり受け部材に締結され前後方向に積層可能に形成された板状のおもり部材とを備えたことを特徴とする。
【００１７】
本発明においては、ウェイト部は、レール部に案内されるおもり受け部材と、当該おもり受け部材に締結され前後方向に積層可能に形成された板状のおもり部材とを備えたので、ＯＡ機器の重量に応じておもり受け部材に積層する板状のおもり部材の数量を増減して簡単にバランス調節することができる。また、板状のおもり部材を前後方向に積層可能に形成したので、各板状のおもり部材の板厚を薄くしつつ、その上下左右のサイズを大きく形成することによって、ウェイト部の前後方向サイズをよりコンパクト化することができる。そのため、ウェイト部の前後方向のサイズを拡大することなく、より大きなＯＡ機器を昇降装置に取り付けることができ、その場合にも、天板下方における奥行きを拡大して、作業者の足元スペースを広く確保することができる。
【００１８】
（４）（１）乃至（３）のいずれか１つに記載された昇降装置内蔵テーブルにおいて、
前記支持部材の上端部には、前記ＯＡ機器が取付け可能に形成されたブラケット部を備え、
前記ブラケット部の左右方向外壁面に一端が固定され、他端が天板下方で前記筒状案内部材の上端部に対して左右方向へ離間した位置に固定されて前記筒状案内部材の左右方向外壁面に沿って略Ｕ字状に垂れ下がるケーブル保持具を前記ウェイト部の軌跡と異なる位置に備え、
前記ケーブル保持具を介して前記ＯＡ機器から他の機器に接続するケーブルを配設したことを特徴とする。
【００１９】
本発明においては、支持部材の上端部には、ＯＡ機器が取付け可能に形成されたブラケット部を備え、ブラケット部の左右方向外壁面に一端が固定され、他端が天板下方で筒状案内部材の上端部に対して左右方向へ離間した位置に固定されて筒状案内部材の左右方向外壁面に沿って略Ｕ字状に垂れ下がるケーブル保持具をウェイト部の軌跡と異なる位置に備え、ケーブル保持具を介してＯＡ機器から他の機器に接続するケーブルを配設したので、ＯＡ機器に対するケーブルを予め他の機器に接続しておくことができ、ケーブルの着脱操作を行う必要がない。
【００２０】
また、ＯＡ機器を収納位置から設置位置まで移動させるとき、ケーブルを保持するケーブル保持具はウェイト部の軌跡と交差することなく上下動できる。そのため、天板下方の昇降装置格納部における前後方向のサイズを拡張する必要もない。その結果、ＯＡ機器を収納位置から設置位置に移動する度に、ＯＡ機器に対するケーブルを他の機器に接続するという作業効率の低下を防止できると共に、ケーブルを保持するケーブル保持具を新たなスペースを設けることなく簡単に設置でき、作業者の足元スペースを確保して快適な作業環境を実現できる。
【００２１】
（５）（４）に記載された昇降装置内蔵テーブルにおいて、
前記ブラケット部には、前記ＯＡ機器と接続された部品又は小物を収納する収納部が形成されていることを特徴とする。
【００２２】
本発明においては、ブラケット部には、ＯＡ機器と接続された部品又は小物を収納する収納部が形成されているので、オフィスにおけるフリーな作業環境を利便性良く簡単に実現することができる。例えば、ＯＡ機器を大型のディスプレイとしてＰＣ（パーソナルコンピュータ）やキーボード等を接続することによって、複数人の会議を簡単に行うことができる。そのため、多様な目的に使用し得る昇降装置内蔵テーブルにおいて、より一層快適な作業環境を実現できる。
【００２３】
（６）（１）乃至（５）のいずれか１つに記載された昇降装置内蔵テーブルにおいて、
前記蓋板は、前記ＯＡ機器の背面側に開き、開いた状態で前記天板上に起立可能に形成されていることを特徴とする。
【００２４】
本発明においては、蓋板は、ＯＡ機器の背面側に開き、開いた状態で天板上に起立可能に形成されているので、ＯＡ機器が天板上方の設置位置にあるとき、蓋板はＯＡ機器の背面側で起立させて保管できる。そのため、昇降装置内蔵テーブルにおいて、ワークスペースを犠牲にすることなく蓋板を保管でき、より一層快適な作業環境を実現できる。
【発明の効果】
【００２５】
本発明によれば、ＯＡ機器の昇降動作に伴う作業効率の低下を防止できると共に、簡単な構造の昇降装置で作業者の足元スペースを確保して快適な作業環境を実現できる昇降装置内蔵テーブルを提供することができる。
【図面の簡単な説明】
【００２６】
【図１】本発明の実施形態に係る昇降装置内蔵テーブルの概略側面図である。
【図２】図１に示す昇降装置内蔵テーブルの概略正面図である。
【図３】図１に示す昇降装置の概略断面図である。
【図４】図３に示す昇降装置の概略正面図である。
【図５】図３に示す昇降装置の概略平面図である。
【図６】図３に示す昇降装置のウェイト部を表す斜視図である。
【図７】図３に示すＡ−Ａ断面図である。
【図８】図３に示すＡ−Ａ断面図の第１変形例である。
【図９】図３に示すＡ−Ａ断面図の第２変形例である。
【図１０】特許文献１に開示された昇降装置内蔵テーブル（ディスプレイ内蔵デスク）の概略側面図である。
【発明を実施するための形態】
【００２７】
次に、本発明の実施形態に係る昇降装置内蔵テーブルについて、図面を参照して詳細に説明する。はじめに、本実施形態に係る昇降装置内蔵テーブルの構造及び動作方法を説明し、その後、当該昇降装置内蔵テーブルにおける昇降装置の変形例を説明する。
【００２８】
＜本発電装置の全体構造＞
まず、本実施形態に係る昇降装置内蔵テーブルの構造及び動作方法を、図１〜図７を用いて説明する。図１に、本発明の実施形態に係る昇降装置内蔵テーブルの概略側面図を示す。図２に、図１に示す昇降装置内蔵テーブルの概略正面図を示す。図３に、図１に示す昇降装置の概略断面図を示す。図４に、図３に示す昇降装置の概略正面図を示す。図５に、図３に示す昇降装置の概略平面図を示す。図６に、図３に示す昇降装置のウェイト部を表す斜視図を示す。図７に、図３に示すＡ−Ａ断面図を示す。
【００２９】
図１〜図３に示すように、本実施形態に係る昇降装置内蔵テーブル１０は、天板１と、天板下方に形成した機器収納部２の収納位置（Ｓ２）に収納したＯＡ機器Ｋを天板上方の設置位置（Ｓ１）まで手動操作で移動させるＯＡ機器用の昇降装置３とを備えた昇降装置内蔵テーブルあって、天板１の後端部又は前後方向中央部には、ＯＡ機器Ｋが昇降装置３に支持されて通過する開口部１１と、当該開口部１１にヒンジ部１２を介して開閉可能に装着された蓋板１３とを備えている。なお、蓋板１３には、ヒンジ部１２を装着しなくても良い。
【００３０】
ここでは、本昇降装置内蔵テーブル１０の天板１には、複数の作業者Ｍが前後方向に対峙して着座できるので、昇降装置３は、天板１の前後方向中央部の下方にその背面同士を近接させて設置されている。また、天板１には、作業者Ｍが左右方向に隣接して着座できるので、昇降装置３は、その側面同士が左右方向で隣り合うように設置されている。したがって、ＯＡ機器Ｋが各昇降装置３に支持されて通過する開口部１１及び当該開口部１１を開閉する蓋板１３は、それぞれ左右方向に細長い長方形状に形成され、各昇降装置３に対応して天板１の前後方向中央部に配置されている。
【００３１】
また、蓋板１３は、ＯＡ機器Ｋの背面側に開き、開いた状態で天板上に起立可能に形成されている。ＯＡ機器Ｋが天板上方の設置位置（Ｓ１）にあるとき、蓋板１３はＯＡ機器Ｋの背面側で起立した状態で保管される。そのため、作業者Ｍのワークスペースを犠牲にすることなく蓋板１３を保管できる。また、開口部１１には、蓋板１３を閉じたときにロックし、閉方向に押すとロックが解除されるツイストロック式の金具１５が装着されている。そのため、蓋板１３の上面につまみや切込み等を設ける必要がなく、蓋板１３を閉じたときに天板１の上面を平坦にして、ＯＡ機器Ｋを収納して他の用途に使用する際、快適な作業環境を提供できる。
【００３２】
また、天板１の下面には、前後方向と左右方向に延設されたフレーム部材１６が設置されている。また、フレーム部材１６の左右方向両端部及び前後方向両端部には、床面ＦＬに立脚する脚部１４が固定されている。また、脚部１４の内側で天板下方には、収納位置（Ｓ２）のＯＡ機器Ｋを収納する機器収納部２と、昇降装置３を格納する昇降装置格納部４とが、前後方向に隣り合わせで形成されている。昇降装置格納部４は、機器収納部２に対して前後方向中央部で床面側へ突出するように形成されている。
【００３３】
すなわち、機器収納部２には、収納位置（Ｓ２）に起立するＯＡ機器Ｋの前端に対して近接する位置に天板１から下方に立設された上壁板２１（２１Ａ、２１Ｂ）と、当該ＯＡ機器Ｋの下端に対して近接し上壁板２１（２１Ａ、２１Ｂ）の下端から天板１の前後方向中央部寄りに横設された横壁板２２（２２Ａ、２２Ｂ）とを備えている。また、昇降装置格納部４は、機器収納部２における横壁板２２（２２Ａ、２２Ｂ）の前後方向中央部寄り端縁から床面近傍まで立設された下壁板４３（４３Ａ、４３Ｂ）を備えている。また、上壁板２１（２１Ａ、２１Ｂ）と横壁板２２（２２Ａ、２２Ｂ）と下壁板４３（４３Ａ、４３Ｂ）の左右端には、側壁板２３が連結されている。側壁板２３は、側面視で上方が広く下方が狭くなるように、外縁が階段状に形成されている。
【００３４】
したがって、側壁板２３と下壁板４３で区画された昇降装置格納部４は、上壁板２１と横壁板２２と側壁板２３とで区画された機器収納部２に対して、前後方向中央部寄りに形成されている。そのため、天板下方では、前後方向中央部寄りで床面側へ近接するに従って奥行きが拡大され、作業者Ｍの足元スペース５をより広く確保することができる。
【００３５】
また、作業者Ｍの足元スペース５をより広く確保するために、昇降装置３を以下のように構成した。
すなわち、図３〜図７に示すように、昇降装置３には、ＯＡ機器Ｋをその背面上部ＫＨで支持し上下方向に延設された支持部材３１と、収納位置（Ｓ２）に収納したＯＡ機器Ｋの背面側でテーブル部材４１、４２に固定され支持部材３１を上端開口部３２１から挿入して上下方向へ案内する筒状案内部材３２と、当該筒状案内部材３２の外壁面３２２に上下方向へ形成されたレール部３３に案内されて上昇端位置（ＪＴ）から下降端位置（ＫＴ）まで上下動可能に形成されたウェイト部３４と、筒状案内部材３２の上端部３２ａに装着された滑車部３５と、支持部材３１とウェイト部３４とを滑車部３５を経由して連結するワイヤ部材３６とを備えている。
【００３６】
また、昇降装置３は、ＯＡ機器を設置位置まで移動させたときに、ウェイト部３４が下降端位置に移動して停止し、ＯＡ機器を収納位置まで移動させたときに、ウェイト部３４が上昇端位置に移動して停止するように、動作機構として滑車とおもりを用いた「つるべ機構」を構成した。
【００３７】
ここでは、滑車部３５は、筒状案内部材３２の背面側の外壁面３２２に対して外方に起立する軸受け部材３５２と、軸受け部材３５２に回動自在に支持されたワイヤ部材３６を案内支持する索輪３５１とを備えている。また、ワイヤ部材３６の一端をウェイト部３４に形成した係止ピン３４６ａに係止し、筒状案内部材３２の外壁面３２２に形成された溝孔３２６から索輪３５１の一部を内壁側へ入り込ませて、ワイヤ部材３６の他端を支持部材３１に形成した係止ピン３１７に係止している。筒状案内部材３２の手前側の外壁面には、テーブル部材４１、４２に固定する固定板３２４、３２５が形成されている。
【００３８】
昇降装置３の上記構成において、支持部材３１がＯＡ機器Ｋをその背面上部ＫＨで支持することによって、筒状案内部材３２の高さを抑えつつ、収納位置（Ｓ２）でのＯＡ機器Ｋの上端を閉じた蓋板１３に極力近接させることができる。そのため、ＯＡ機器Ｋを収納する機器収納部２を、天板下方の前後方向中央部寄り上部に上下方向でコンパクト化して配置できる。
【００３９】
また、ＯＡ機器Ｋをその背面上部ＫＨで支持した支持部材３１を上下方向へ案内する筒状案内部材３２が収納位置（Ｓ２）に収納したＯＡ機器Ｋの背面側でテーブル部材４１に固定され、また、支持部材３１とウェイト部３４とを、筒状案内部材３２の上端部３２ａに装着された滑車部３５を経由してワイヤ部材３６で連結したことによって、機器収納部２の背面側に位置する昇降装置３のつるべ機構を格納する昇降装置格納部４を、天板下方の前後方向中央部に前後方向でコンパクト化して配置できる。
【００４０】
したがって、天板下方の前後方向中央部寄り上部に上下方向でコンパクト化した機器収納部２と、天板下方の前後方向中央部に前後方向でコンパクト化し昇降装置格納部４とを組み合わせることによって、天板下方の奥行きを拡大して、作業者Ｍの足元スペース５をできる限り広く確保することができる。
【００４１】
また、昇降装置３の動作機構として、滑車とおもりを用いた「つるべ機構」を構成したことによって、ＯＡ機器Ｋと支持部材３１の合計重量とウェイト部３４の重量とのバランスが取れていて、ＯＡ機器Ｋを収納位置（Ｓ２）から設置位置（Ｓ１）まで軽い力で移動でき、作業者Ｍの負担を大幅に軽減できる。
【００４２】
さらに、本昇降装置３においては、支持部材３１は、ＯＡ機器Ｋの左右方向中央部を支持するように形成され、ウェイト部３４は、おもり部材３４１、３４２が支持部材３１に対して左右対称な位置に均等な重量で配置されている。上記構成によって、左右方向に幅広いサイズのＯＡ機器Ｋに対しても、左右対称な位置に配置されたおもり部材３４１、３４２が重量バランスを取って、支持部材３１に対して偏心荷重を生じさせにくく、支持部材３１及び筒状案内部材３２の構造を簡素化することができる。例えば、図７に示すように、支持部材３１と筒状案内部材３２とを規格の長方形断面の角筒パイプで形成して、前後方向のサイズをコンパクト化しつつ、低コスト化、軽量化等を図ることもできる。
【００４３】
また、ウェイト部３４は、レール部３３に案内されるおもり受け部材３４３と、当該おもり受け部材３４３に締結され前後方向に積層可能に形成された板状のおもり部材３４１、３４２とを備えている。レール部３３は、例えば、角筒パイプで形成した筒状案内部材３２の背面側の外壁面３２２に、左右対称な略Ｌ字状断面で上下方向に形成されている。レール部３３には、おもり受け部材３４３に軸支されたローラ部材３４４が係合している。
【００４４】
また、ウェイト部３４が下降端位置（ＫＴ）に到着したとき、筒状案内部材３２の下端部に設置したストッパ部材３２７に、おもり受け部材３４３の下端が当接して停止する。なお、ストッパ部材３２７には、ウェイト部３４の慣性モーメントによる衝撃を吸収する衝撃吸収機能を備えてもよい。
【００４５】
また、おもり部材３４１、３４２は、例えば、同一の板厚の鋼板を同一サイズの矩形状に形成したものを複数枚積層して、おもり受け部材３４３に固定したネジ軸３４６ａに挿入し、ナット付きハンドル３４５で締結されている。上記構成によって、ＯＡ機器Ｋの重量に応じておもり受け部材３４３に積層する板状のおもり部材３４１、３４２の数量を増減して簡単にバランス調節することができる。
【００４６】
また、板状のおもり部材３４１、３４２を前後方向に積層可能に形成したことによって、各板状のおもり部材３４１、３４２の板厚を薄くしつつ、その上下左右のサイズを大きく形成することができる。そのため、ウェイト部３４の前後方向のサイズを拡大することなく、より大きなＯＡ機器Ｋを昇降装置３に取り付けることができ、その場合にも、天板下方における奥行きを拡大して、作業者Ｍの足元スペース５を広く確保することができる。
【００４７】
また、支持部材３１の上端部３１ａには、ＯＡ機器Ｋが取付け可能に形成されたブラケット部３１１を備え、ブラケット部３１１の左右方向外壁面３１１ａに一端６１が固定され、他端６２が天板下方で筒状案内部材３２の上端部３２ａに対して左右方向へ離間した位置に固定されて筒状案内部材３２の左右方向外壁面３２ｂ（３２３）に沿って略Ｕ字状に垂れ下がるケーブル保持具６をウェイト部３４の軌跡と異なる位置に備え、ケーブル保持具６を介してＯＡ機器Ｋから他の機器に接続するケーブル６３を配設した。ケーブル６３には、例えば、電源ケーブルや他のサーバー装置等に接続するケーブルなどが含まれる。ケーブル保持具６の他端６２は、機器収納部２及び昇降装置格納部４を形成する側壁板２３に係止金具６５を介して固定されている。
【００４８】
ここでは、ケーブル保持具６は、ウェイト部３４のおもり受け部材３４３とテーブル部材４１との間の空間に、筒状案内部材３２の右側面側の外壁面３２３と近接した位置に配置されている。なお、ウェイト部３４のおもり受け部材３４３には、固定したネジ軸３４６の基端部がケーブル保持具６を引っ掛けないように上下方向に傾斜面が形成されたガイド部材３４７が装着されている。
【００４９】
上記構成のケーブル保持具６によって、ＯＡ機器Ｋに対するケーブル６３を予め他の機器と接続しておくことができ、例えば、電源ケーブル６３の場合、電源コンセントへの着脱操作を行う必要がない。また、ＯＡ機器Ｋを収納位置（Ｓ２）から設置位置（Ｓ１）まで移動させるとき、ケーブル６３を保持するケーブル保持具６はウェイト部３４の軌跡と交差することなく上下動できる。
【００５０】
その結果、ＯＡ機器Ｋを収納位置（Ｓ２）から設置位置（Ｓ１）に移動する度に、ＯＡ機器Ｋに対するケーブル６３を他の機器と接続するという作業効率の低下を防止できる。また、ケーブル６３を保持するケーブル保持具６の動作スペースを、ウェイト部３４と干渉しない位置に簡単に設置でき、作業者Ｍの足元スペース５を確保しつつ、ＯＡ機器Ｋを使用する快適な作業環境を実現できる。
【００５１】
また、支持部材３１のブラケット部３１１には、ＯＡ機器Ｋと接続されたＨＤＭＩ（登録商標）（High-Definition Multimedia Interface）ケーブル６４やキーボードなどの部品や筆記具などの小物を収納する収納部３１２が形成されている。収納部３１２は、ＯＡ機器Ｋを固定する固定板３１３の下方に装着されている。また、収納部３１２には、部品６４や小物等が落下するのを防止するガード機能を有することが好ましい。上記構成によって、例えば、収納部３１２からＯＡ機器Ｋと接続されたＨＤＭＩケーブル６４等を必要なタイミングで素早く取り出して、作業者Ｍが使用する個人用のＰＣ（パーソナルコンピュータ：図示しない）と接続することもでき、オフィスにおけるフリーな作業環境を利便性良く簡単に実現することができる。例えば、ＯＡ機器Ｋをタブレットや大型のディスプレイとし、これにＰＣを接続することによって、複数人の会議を簡単に行うことができる。
【００５２】
また、ブラケット部３１１の前端側には、ＯＡ機器Ｋを上下方向に回動可能に支持する上下回動ヒンジ部３１５と、ＯＡ機器Ｋを左右方向に回動可能に支持する左右回動ヒンジ部３１６とが、一体化されて形成されている。また、ブラケット部３１１の上端には、支持部材３１を上下動させるときに把持するＵ字状のハンドル部３１４が水平方向に装着されている。そのため、テレワーク時代に、狭い日本のオフィス事情において、ミーティング等を含む執務や執務以外のダイニング等、多様な目的に使用し得る昇降装置内蔵テーブル１０において、より一層快適な作業環境を実現できる。
【００５３】
（昇降装置の変形例）
次に、本実施形態に係る昇降装置内蔵テーブルの昇降装置の変形例を、図８、図９を用いて説明する。図８に、図３に示すＡ−Ａ断面図の第１変形例を示す。図９に、図３に示すＡ−Ａ断面図の第２変形例を示す。
【００５４】
図８に示すように、第１変形例の昇降装置３Ｂは、動作機構が滑車とおもりを用いた「つるべ機構」である点で、上述した昇降装置３と共通する。すなわち、ウェイト部３４Ｂは、おもり部材３４１Ｂ、３４２Ｂが支持部材３１Ｂに対して左右対称な位置に均等な重量で配置されている。滑車部３５Ｂは、筒状案内部材３２Ｂの背面側の外壁面３２２Ｂに対して外方に起立する軸受け部材３５２Ｂと、軸受け部材３５２Ｂに回動自在に支持されワイヤ部材３６Ｂを案内支持する索輪３５１Ｂとを備えている。また、ワイヤ部材３６Ｂの一端をウェイト部３４Ｂに形成した係止ピン３４６ａＢに係止し、筒状案内部材３２Ｂの外壁面３２２Ｂに形成された溝孔３２６Ｂから索輪３５１Ｂの一部を内壁側へ入り込ませて、ワイヤ部材３６Ｂの他端を支持部材３１Ｂに形成した係止ピン３１７Ｂに係止している。
【００５５】
また、ウェイト部３４Ｂは、レール部３３Ｂに案内されるおもり受け部材３４３Ｂと、当該おもり受け部材３４３Ｂに締結され前後方向に積層可能に形成された板状のおもり部材３４１Ｂ、３４２Ｂとを備えている。レール部３３Ｂは、角筒パイプで形成した筒状案内部材３２Ｂの背面側の外壁面３２２Ｂに、左右対称な２つの略Ｌ字状断面で上下方向に形成されている。
【００５６】
また、レール部３３Ｂには、おもり受け部材３４３Ｂに軸支されたローラ部材３４４Ｂが係合している。おもり部材３４１Ｂ、３４２Ｂは、例えば、同一の板厚の鋼板を同一サイズの矩形状に形成したものを複数枚積層して、おもり受け部材３４３Ｂに固定したネジ軸３４６ａＢに挿入し、ナット付きハンドル３４５Ｂで締結されている。
【００５７】
しかし、第１変形例の昇降装置３Ｂでは、おもり受け部材３４３Ｂを筒状案内部材３２Ｂの左右側面３２３Ｂ側へ屈曲させて形成し、おもり部材３４１Ｂ、３４２Ｂを筒状案内部材３２Ｂの左右側面３２３Ｂに近接する位置に配置した。また、ケーブル６３Ｂを保持するケーブル保持具６Ｂは、おもり部材３４１Ｂの右側に配置した。
【００５８】
上記構成によって、昇降装置３Ｂが占める前後方向のサイズを短縮することができる。その結果、天板下方における奥行きを更に拡大して、作業者Ｍの足元スペース５を広く確保することができる。
【００５９】
また、図９に示すように、第２変形例の昇降装置３Ｃは、動作機構が滑車とおもりを用いた「つるべ機構」である点で、上述した昇降装置３と共通する。すなわち、ウェイト部３４Ｃは、おもり部材３４１Ｃ、３４２Ｃが支持部材３１Ｃに対して左右対称な位置に均等な重量で配置されている。また、ウェイト部３４Ｃは、レール部３３Ｃに案内されるおもり受け部材３４３Ｃと、当該おもり受け部材３４３Ｃに締結され前後方向に積層可能に形成された板状のおもり部材３４１Ｃ、３４２Ｃとを備えている。
【００６０】
また、レール部３３Ｃは、角筒パイプで形成した筒状案内部材３２Ｃの背面側の外壁面３２２Ｃに、左右対称な２つの略Ｌ字状断面で上下方向に形成されている。レール部３３Ｃには、おもり受け部材３４３Ｃに軸支されたローラ部材３４４Ｃが係合している。おもり部材３４１Ｃ、３４２Ｃは、例えば、同一の板厚の鋼板を同一サイズの矩形状に形成したものを複数枚積層して、おもり受け部材３４３Ｃに固定したネジ軸３４６ａＣに挿入し、ナット付きハンドル３４５Ｃで締結されている。
【００６１】
しかし、第３変形例の昇降装置３Ｃでは、第２変形例と同様に、おもり受け部材３４３Ｃを筒状案内部材３２Ｃの左右側面３２３Ｃ１、３２３Ｃ２側へ屈曲させて形成し、おもり部材３４１Ｃ、３４２Ｃを筒状案内部材３２Ｃの左右側面３２３Ｃ１、３２３Ｃ２に近接する位置に配置した。また、ケーブル６３Ｃを保持するケーブル保持具６Ｃは、おもり部材３４１Ｃの右側に配置した。
【００６２】
また、滑車部３５Ｃは、筒状案内部材３２Ｃの左右側面３２３Ｃ１、３２３Ｃ２側の外壁面に対して外方に起立する左右一対の軸受け部材３５２Ｃ１、３５２Ｃ２と、軸受け部材３５２Ｃ１、３５２Ｃ２に回動自在に支持されワイヤ部材３６Ｃ１、３６Ｃ２を案内支持する索輪３５１Ｃ１、３５１Ｃ２とを備えている。また、ワイヤ部材３６Ｂの一端をウェイト部３４Ｃに形成した係止ピン３４６Ｃ１、３４６Ｃ２に係止し、筒状案内部材３２Ｃの左右側面３２３Ｃ１、３２３Ｃ２側の外壁面に形成された溝孔３２６Ｃ１、３２６Ｃ２から索輪３５１Ｃ１、３５１Ｃ２の一部を内壁側へ入り込ませて、ワイヤ部材３６Ｃ１、３６Ｃ２の他端を支持部材３１Ｃに形成した係止ピン３１７Ｃ１、３１７Ｃ２に係止している。
【００６３】
上記構成によって、昇降装置３Ｃのつるべ機構が占める前後方向のサイズを第２変形例の昇降装置３Ｂより更に短縮することができる。その結果、天板下方における奥行きを更に拡大して、作業者Ｍの足元スペース５を広く確保することができる。
【００６４】
＜作用効果＞
また、本実施形態に係る昇降装置内蔵テーブル１０によれば、天板１の後端部又は前後方向中央部には、ＯＡ機器Ｋが昇降装置３、３Ｂ、３Ｃに支持されて通過する開口部１１と、当該開口部１１に開閉可能に装着された蓋板１３とを備えたので、ＯＡ機器Ｋの昇降動作時にＯＡ機器Ｋが通過する開口部１１を覆う蓋板１３を開閉すればよく、天板全体を一々前後方向へ移動させる必要がない。そのため、ＯＡ機器Ｋを昇降動作させる際、天板上に載置した書類等を落下させたり、隣接して着座している他の作業者の仕事を中断させことがなく、作業効率の低下を防止できる。
【００６５】
また、昇降装置３、３Ｂ、３Ｃには、ＯＡ機器Ｋを背面上部ＫＨで支持し上下方向に延設された支持部材３１、３１Ｂ、３１Ｃと、収納位置（Ｓ２）に収納したＯＡ機器Ｋの背面側でテーブル部材４１、４２に固定され支持部材３１、３１Ｂ、３１Ｃを上端開口部３２１から挿入して上下方向へ案内する筒状案内部材３２、３２Ｂ、３２Ｃと、当該筒状案内部材３２、３２Ｂ、３２Ｃの外壁面３２２、３２２Ｂ、３２２Ｃに上下方向へ形成されたレール部３３、３３Ｂ、３３Ｃに案内されて上昇端位置（ＪＴ）から下降端位置（ＫＴ）まで上下動可能に形成されたウェイト部３４、３４Ｂ、３４Ｃと、筒状案内部材３２、３２Ｂ、３２Ｃの上端部３２ａに装着された滑車部３５、３５Ｂ、３５Ｃと、支持部材３１、３１Ｂ、３１Ｃとウェイト部３４、３４Ｂ、３４Ｃとを滑車部３５、３５Ｂ、３５Ｃを経由して連結するワイヤ部材３６、３６Ｂ、３６Ｃとを備えたので、ＯＡ機器Ｋを収納する機器収納部２を、天板下方の前後方向中央部寄り上部に上下方向でコンパクト化して配置できる。また、機器収納部２の背面側に位置する昇降装置３、３Ｂ、３Ｃの「つるべ機構」を格納する昇降装置格納部４を、天板下方の前後方向中央部に前後方向でコンパクト化して配置できる。そのため、天板下方の奥行きを拡大して、作業者Ｍの足元スペース５をできる限り広く確保することができる。
【００６６】
また、ＯＡ機器Ｋを設置位置（Ｓ１）まで移動させたときに、ウェイト部３４、３４Ｂ、３４Ｃが下降端位置（ＫＴ）に移動して停止し、ＯＡ機器Ｋを収納位置（Ｓ２）まで移動させたときに、ウェイト部３４、３４Ｂ、３４Ｃが上昇端位置（ＪＴ）に移動して停止するので、ＯＡ機器Ｋと支持部材３１、３１Ｂ、３１Ｃの合計重量とウェイト部３４、３４Ｂ、３４Ｃの重量とのバランスが取れていて、ＯＡ機器Ｋを収納位置（Ｓ２）から設置位置（Ｓ１）まで軽い力で移動でき、「つるべ機構」を利用した簡単な構造で作業者の負担を大幅に軽減できる。
【００６７】
よって、本実施形態によれば、ＯＡ機器Ｋの昇降動作に伴う作業効率の低下を防止できると共に、簡単な構造の昇降装置３で作業者Ｍの足元スペース５を確保して快適な作業環境を実現できる昇降装置内蔵テーブル１０を提供することができる。
【００６８】
また、本実施形態によれば、支持部材３１、３１Ｂ、３１Ｃは、ＯＡ機器Ｋの左右方向中央部を支持するように形成され、ウェイト部３４、３４Ｂ、３４Ｃは、おもり部材３４１、３４１Ｂ、３４１Ｃ、３４２、３４２Ｂ、３４２Ｃが支持部材３１、３１Ｂ、３１Ｃに対して左右対称な位置に均等な重量で配置されているので、左右方向に幅広いサイズのＯＡ機器Ｋに対しても左右対称な位置に配置されたおもり部材３４１、３４１Ｂ、３４１Ｃ、３４２、３４２Ｂ、３４２Ｃが重量バランスを取って、支持部材３１、３１Ｂ、３１Ｃに対して偏心荷重を生じさせにくい。そのため、支持部材３１、３１Ｂ、３１Ｃ及び筒状案内部材３２、３２Ｂ、３２Ｃの構造を簡素化することができ、天板下方で昇降装置３を格納する昇降装置格納部４を、より一層コンパクト化させることができる。その結果、天板下方における奥行きを更に拡大して、作業者Ｍの足元スペース５をより一層広く確保することができる。
【００６９】
また、本実施形態によれば、ウェイト部３４、３４Ｂ、３４Ｃは、レール部３３、３３Ｂ、３３Ｃに案内されるおもり受け部材３４３、３４３Ｂ、３４３Ｃと、当該おもり受け部材３４３、３４３Ｂ、３４３Ｃに締結され前後方向に積層可能に形成された板状のおもり部材３４１、３４１Ｂ、３４１Ｃ、３４２、３４２Ｂ、３４２Ｃとを備えたので、ＯＡ機器Ｋの重量に応じておもり受け部材３４３、３４３Ｂ、３４３Ｃに積層する板状のおもり部材３４１、３４１Ｂ、３４１Ｃ、３４２、３４２Ｂ、３４２Ｃの数量を増減して簡単にバランス調節することができる。また、板状のおもり部材３４１、３４１Ｂ、３４１Ｃ、３４２、３４２Ｂ、３４２Ｃを前後方向に積層可能に形成したので、各板状のおもり部材３４１、３４１Ｂ、３４１Ｃ、３４２、３４２Ｂ、３４２Ｃの板厚を薄くしつつ、その上下左右のサイズを大きく形成することによって、ウェイト部３４、３４Ｂ、３４Ｃの前後方向サイズをよりコンパクト化することができる。そのため、ウェイト部３４、３４Ｂ、３４Ｃの前後方向のサイズを拡大することなく、より大きなＯＡ機器Ｋを昇降装置３に取り付けることができ、その場合にも、天板下方における奥行きを拡大して、作業者Ｍの足元スペース５を広く確保することができる。
【００７０】
また、本実施形態によれば、支持部材３１の上端部３１ａには、ＯＡ機器Ｋが取付け可能に形成されたブラケット部３１１を備え、ブラケット部３１１の左右方向外壁面３１１ａに一端６１が固定され、他端６２が天板下方で筒状案内部材３２の上端部３２ａに対して左右方向へ離間した位置に固定されて筒状案内部材３２、３２Ｂ、３２Ｃの左右方向外壁面３２ｂ（３２３、３２３Ｂ、３２３Ｃ１）に沿って略Ｕ字状に垂れ下がるケーブル保持具６、６Ｂ、６Ｃをウェイト部３４、３４Ｂ、３４Ｃの軌跡と異なる位置に備え、ケーブル保持具６、６Ｂ、６Ｃを介してＯＡ機器Ｋから他の機器に接続するケーブル６３、６３Ｂ、６３Ｃを配設したので、ＯＡ機器Ｋに対するケーブル６３、６３Ｂ、６３Ｃを予め他の機器に接続しておくことができ、ケーブル６３、６３Ｂ、６３Ｃの着脱操作を行う必要がない。
【００７１】
また、ＯＡ機器Ｋを収納位置（Ｓ２）から設置位置（Ｓ１）まで移動させるとき、ケーブル６３、６３Ｂ、６３Ｃを保持するケーブル保持具６、６Ｂ、６Ｃはウェイト部３４、３４Ｂ、３４Ｃの軌跡と交差することなく上下動できる。そのため、天板下方の昇降装置格納部４における前後方向のサイズを拡張する必要もない。その結果、ＯＡ機器Ｋを収納位置（Ｓ２）から設置位置（Ｓ１）に移動する度に、ＯＡ機器Ｋに対するケーブル６３、６３Ｂ、６３Ｃを他の機器に接続するという作業効率の低下を防止できると共に、ケーブル６３、６３Ｂ、６３Ｃを保持するケーブル保持具６、６Ｂ、６Ｃを新たなスペースを設けることなく簡単に設置でき、作業者Ｍの足元スペース５を確保して快適な作業環境を実現できる。
【００７２】
また、本実施形態によれば、ブラケット部３１１には、ＯＡ機器Ｋと接続された部品や小物を収納する収納部３１２が形成されているので、オフィスにおけるフリーな作業環境を簡単に実現することができる。例えば、ＯＡ機器Ｋをタブレットや大型のディスプレイとしてＰＣ（パーソナルコンピュータ）を接続することによって、複数人の会議を簡単に行うことができる。そのため、多様な目的に使用し得る昇降装置内蔵テーブル１０において、より一層快適な作業環境を実現できる。
【００７３】
また、本実施形態によれば、蓋板１３は、ＯＡ機器Ｋの背面側に開き、開いた状態で天板上に起立可能に形成されているので、ＯＡ機器Ｋが天板上方の設置位置（Ｓ１）にあるとき、蓋板１３はＯＡ機器Ｋの背面側で起立させて保管できる。そのため、昇降装置内蔵テーブル１０において、ワークスペースを犠牲にすることなく蓋板１３を保管でき、より一層快適な作業環境を実現できる。
【００７４】
＜変形例＞
上述した実施形態は、本発明の要旨を変更しない範囲で、適宜変更することができる。例えば、本実施形態では、本昇降装置内蔵テーブル１０の天板１には、複数の作業者Ｍが前後方向に対峙して着座できるので、昇降装置３は、天板１の前後方向中央部の下方にその背面同士を近接させて設置されている。しかし、これに限定されることはなく、天板１には、複数の作業者Ｍが前後方向に対峙して着座せず、複数の作業者が左右方向に隣接して着座する場合には、昇降装置３を天板１の後端部に設置することもできる。
【産業上の利用可能性】
【００７５】
本発明は、ディスプレイ等のＯＡ機器を支持して機器不使用時には天板下方に収納でき、機器使用時には天板上方に設置できるＯＡ機器用の昇降装置を内蔵した昇降装置内蔵テーブルとして利用できる。
【符号の説明】
【００７６】
１                              天板
２                              機器収納部
３、３Ｂ、３Ｃ                  昇降装置
４                              昇降装置格納部
５                              足元スペース
６、６Ｂ、６Ｃ                  ケーブル保持具
１０                            昇降装置内蔵テーブル
１１                            開口部
１２                            ヒンジ部
１３                            蓋板
３１、３１Ｂ、３１Ｃ            支持部材
３２、３２Ｂ、３２Ｃ            筒状案内部材
３１ａ、３２ａ                  上端部
３２ｂ                          左右方向外壁面
３３、３３Ｂ、３３Ｃ            レール部
３４、３４Ｂ、３４Ｃ            ウェイト部
３５、３５Ｂ、３５Ｃ            滑車部
３６、３６Ｂ、３６Ｃ            ワイヤ部材
６３、６３Ｂ、６３Ｃ            電源ケーブル（ケーブル）
６４                            ＨＤＭＩケーブル（部品）
３１１                          ブラケット部
３１２                          収納部
３２１                          上端開口部
３２２、３２２Ｂ、３２２Ｃ      外壁面
３４１、３４１Ｂ、３４１Ｃ      おもり部材
３４２、３４２Ｂ、３４２Ｃ      おもり部材
３４３、３４３Ｂ、３４３Ｃ      おもり受け部材
４１、４２                      テーブル部材
Ｋ                              ＯＡ機器
ＫＨ                            背面上部
ＫＴ                            下降端位置
ＪＴ                            上昇端位置
Ｓ１                            設置位置
Ｓ２                            収納位置
【図１】
2020005992.tif 000003
【図２】
2020005992.tif 000004
【図３】
2020005992.tif 000005
【図４】
2020005992.tif 000006
【図５】
2020005992.tif 000007
【図６】
2020005992.tif 000008
【図７】
2020005992.tif 000009
【図８】
2020005992.tif 000010
【図９】
2020005992.tif 000011
【図１０】
2020005992.tif 000012